(57)【特許請求の範囲】
【請求項１】
振動時に物品を保護する物品展示装置であって、
上面に物品を配置することができる展示台と、
前記展示台を上下方向に移動可能なように内部に配置して支持するための支持部材と、
前記展示台の降下衝撃を受けるための緩衝部材と、
物品展示装置に加えられる振動を検知するための振動検知装置と、
前記振動検知装置が出力する振動検知信号に基づいて、前記展示台を下方に移動可能な位置に移動させるための展示台作動装置とを有し、
前記展示台は、周囲に半径方向外方へ延びた複数のロックボルトが設けられており、
前記支持部材は、前記ロックボルトを受け入れて前記展示台を支持するため、水平方向に延びた台部として形成されたボルト受け部と、前記ロックボルトを受け入れて前記展示台の下方への移動を案内するため、垂直方向に延びる窓部として形成されたボルト案内部とを有し、
展示中は、前記ロックボルトがボルト受け部に支持されており、前記振動検知装置が振動検知信号を出力すると、前記展示台作動装置が前記展示台を鉛直軸を中心に回転させることによって前記ロックボルトを前記ボルト受け部から前記ボルト案内部に動かすことを特徴とする物品展示装置。
【請求項２】
衝撃を受けると変形する圧縮変形可能な材料で形成された展示台緩衝部材が、前記展示台の上面および下面の少なくとも一方に配置されることを特徴とする、請求項１に記載の物品展示装置。
【請求項３】
衝撃を受けると変形する圧縮変形可能な材料で形成された底部緩衝部材が、前記展示台の下面を受けるために前記支持部材の内部の下部に配置されることを特徴とする、請求項１に記載の物品展示装置。
【請求項４】
前記展示台作動装置は、前記展示台の中心軸線を回転中心として前記展示台を回転移動させることができるアクチュエータと、前記支持部材の外周部に設けられた作動クランプとを含むことを特徴とする、請求項１に記載の物品展示装置。
【請求項５】
前記展示台作動装置は、前記支持部材の内部において、前記展示台を回転移動させることができるように構成されることを特徴とする、請求項２に記載の物品展示装置。
【請求項６】
前記展示台の回転移動範囲を制限するための移動範囲限定機構を含むことを特徴とする、請求項５に記載の物品展示装置。
【請求項７】
前記支持部材は、前記支持部材の内部の側面に配置され、物品を保護するための物品側面保護部材を含むことを特徴とする、請求項１に記載の物品展示装置。
【請求項８】
振動時に物品を保護する物品展示装置であって、
上面に物品を配置することができる展示台と、
前記展示台を上下方向に移動可能なように内部に配置して支持するための支持部材と、  前記展示台の降下衝撃を受けるための緩衝部材と、
手動入力による振動検知信号に基づいて、前記展示台を下方に移動可能な位置に移動させるための展示台作動装置とを有し、
前記展示台は、周囲に半径方向外方へ延びた複数のロックボルトが設けられており、
前記支持部材は、前記ロックボルトを受け入れて前記展示台を支持するため、水平方向に延びた台部として形成されたボルト受け部と、前記ロックボルトを受け入れて前記展示台の下方への移動を案内するため、垂直方向に延びる窓部として形成されたボルト案内部とを有し、
展示中は、前記ロックボルトがボルト受け部に支持されており、手動入力による振動検知信号により、前記展示台作動装置が前記展示台を鉛直軸を中心に回転させることによって前記ロックボルトを前記ボルト受け部から前記ボルト案内部に動かすことを特徴とする物品展示装置。
【発明の詳細な説明】
【技術分野】
【０００１】
本発明は、振動時に物品を保護する物品展示装置に関するものである。特に、本発明は、学術的に重要な文化財あるいは高価な陶磁器、ガラス工芸品のような装飾品等の物品を、博物館に展示したり、応接室の飾り棚に飾ったり、店舗や展示会場に陳列する場合に、地震等の振動により、物品が転倒したり、物品が展示装置から降下して、物品が破損することから物品を保護することができるように構成した物品展示装置に関する。
【背景技術】
【０００２】
上述したような破損し易い装飾品等を飾り棚や展示棚、陳列棚等に配置しておいたのでは、地震が発生した際、その振動によって物品が転倒したり、物品が展示装置から降下して、貴重な装飾品等が損傷したり、破損してしまうことがある。このため、一般的には、飾り棚や陳列棚の装飾品等の周りに紐等を用いて物品を支持したり、支え用バー等を設けることで転倒や降下に対処している。また、特に大きい装飾品等の場合は、複数本の紐等を所定間隔を置いて配置して、物品を支持している。しかし、このような方法では転倒、降下の防止手段としては不確実である。また、外観上の体裁も悪いだけでなく、装飾品等の鑑賞の邪魔になることがある。
【０００３】
このような不都合を解消するため、従来の第１タイプの載置台は、物品が配置され、前記物品を支持する支持手段と、振動を検知する検知手段と、この検知手段からの検知信号により、支持手段による器物の支持を解除させる解除手段と、支持手段の下方に配されており、支持手段による器物の支持解除で、支持手段から降下する物品を収容して保護する保護手段とを具備し、前記解除手段は、検知手段からの信号により作動するソレノイド装置と、支持手段に係合しており、ソレノイド装置によって支持手段との係合が解除される止具とを備えている（例えば、特許文献１参照）。
【０００４】
さらに、従来の第２タイプの載置台は、頂部および底部に一対の開口部を対向するように設けた所定高さの支持台を備え、前記支持台の頂部側の開口部に、その中央部で突き合わせつつ閉成自在にして、かつ開成自在の二枚一対のシャッター板を設け、底部側の開口部下方に、緩衝性能を有しかつ容積を調節可能である装飾品等の受け袋の上端開口縁を装着して吊持し、かつ、上記シャッター板の駆動装置と震動感知機とを設け、前記震動感知機が地震による震動を感知して駆動装置を作動させることでシャッター板を開成するように構成されている（例えば、特許文献２参照）。
【０００５】
さらに、従来の第３タイプの載置台は、物品を配置する面に、物品の中間部の断面が嵌合する嵌合孔を設け、前記嵌合孔を垂直方向に通過可能であって、垂直下方へ延びた載置シャフトによって支持された載置板と、振動を検知する振動検知手段と、前記中間部断面が前記孔に嵌合するまで前記物品が降下した時、前記載置シャフトを緩衝的に停止させる載置シャフト停止手段と、常時、前記載置板が前記載置面にあるように前記載置シャフトを係止し、前記振動検知手段からの振動検知信号によって前記載置シャフトの係止を解除して、前記載置板及び載置シャフトを降下可能にする係止手段とを備えるように構成されている（例えば、特許文献３参照）。
【０００６】
【特許文献１】特許第２７４６２５３号公報
【特許文献２】特許第３４５８０８９号公報
【特許文献３】特開２００７−２２２４８１号公報
【発明の開示】
【発明が解決しようとする課題】
【０００７】
（従来の載置台の問題点）
従来の第１タイプの載置台においては、スポンジ等の衝撃緩衝材が設けられていたとしても、陶芸品が所定高さ位置から底部まで重力降下した場合に、陶芸品が底部に衝突することによる大きな衝突音が発生したり破損するおそれがあると考えられる。また、従来の第１タイプの載置台においては、展示台を水平に保ったままで保持することができなかったので、陶芸品が重力降下した場合に、陶芸品の外面、縁部あるいは細い部分が破損するおそれがあると考えられる。
【０００８】
従来の第２タイプの載置台においては、柔軟性がある袋が必須の構成部品であり、シャッター板の駆動装置の構造が複雑であった。また、従来の第２タイプの載置台においては、展示品を水平に配置して展示するのが困難であり、また、載置台の上下方向の寸法を小さくするのが困難であった。
【０００９】
従来の第３タイプの載置台においては、載置板が載置シャフトによって支持されるので、展示品を水平に配置して展示するのが困難であり、また、載置台の上下方向の寸法を小さくするのが困難であった。さらに、従来の第３タイプの載置台においては、載置アクチュエータの構造が複雑であった。
【００１０】
（発明の目的）
本発明は、地震等の振動が発生したときに、瞬時に展示品を垂直下方に降下させて、展示品全体への衝撃力を緩衝することができるように構成した物品展示装置を提供することを目的とする。また、本発明は、展示品を水平に保持することができ、地震等の振動が発生したときに確実に作動して、物品が転倒したり破損するのを回避して、展示品を保護することができる物品展示装置を提供することを目的とする。さらに、本発明は、小型でセット作業が容易で、かつ製造コストの安い物品展示装置を提供することを目的とする。
【課題を解決するための手段】
【００１１】
本発明は、振動時に物品を保護する物品展示装置であって、上面に物品を配置することができる展示台と、前記展示台を上下方向に移動可能なように内部に配置して支持するための支持部材と、前記支持部材の内部の下部に配置され、前記展示台の下面を受けるための底部緩衝部材と、物品展示装置に加えられる振動を検知するための振動検知装置と、前記振動検知装置が出力する振動検知信号に基づいて、前記展示台を下方に移動可能な位置に移動させるための展示台作動装置とを備える構成とした。この構成により、展示品を水平に配置して展示することができ、展示品を地震の揺れから確実に守ることができる。本発明の物品展示装置は、地震等の振動が発生したときに、展示台を水平に保ったままで展示台とともに展示品を降下させることができるので、物品が転倒したり破損するのを回避して、物品全体への衝撃力を緩衝し、物品を確実に保護することができる。
【００１２】
本発明の物品展示装置において、衝撃を受けると変形する圧縮変形可能な材料で形成された展示台緩衝部材が、前記展示台の上面および下面の少なくとも一方に配置されるのが好ましい。本発明の物品展示装置において、衝撃を受けると変形する圧縮変形可能な材料で形成された底部緩衝部材が、前記展示台の下面を受けるために前記支持部材の内部の下部に配置されるのが好ましい。この構成により、地震等の振動が発生したときに、物品を確実に保護することができる。
【００１３】
本発明の物品展示装置において、前記展示台作動装置は、前記展示台の中心軸線を回転中心として前記展示台を回転移動させることができるアクチュエータと、前記支持部材の外周部に設けられた作動クランプとを含むのが好ましい。本発明の物品展示装置において、前記展示台作動装置は、前記支持部材の内部において、前記展示台を回転移動させることができるように構成されるのが好ましい。
【００１４】
本発明の物品展示装置において、前記展示台の回転移動範囲を制限するための移動範囲限定機構を含むのが好ましい。この構成により、展示台の回転移動範囲を一定の領域に限定することができる。
【００１５】
本発明の物品展示装置において、前記支持部材は、前記支持部材の内部の側面に配置され、物品を保護するための物品側面保護部材を含むのが好ましい。この構成により、地震等の振動が発生したときに、物品の側面や口縁部を確実に側面から保護することができる。
【００１６】
本発明の物品展示装置において、複数のロックボルトが前記展示台に設けられており、前記支持部材は、前記ロックボルトを受け入れて前記展示台を支持するためのボルト受け部と、前記ロックボルトを受け入れて前記展示台の下方への移動を案内するためのボルト案内部とを有するのが好ましい。本発明の物品展示装置において、前記ロックボルトは、前記展示台から半径方向外方に延びており、前記ボルト受け部は、水平方向に延びる台部として形成され、前記ボルト案内部は、垂直方向に延びる窓部として形成されるのが好ましい。この構成により、通常時は展示台の上に物品を配置し、地震等の振動が発生したときに、展示台を正確に下降させることができる。
【００１７】
本発明はまた、振動時に物品を保護する物品展示装置であって、上面に物品を配置することができる展示台と、前記展示台を上下方向に移動可能なように内部に配置して支持するための支持部材と、前記展示台の降下衝撃を受けるための緩衝部材と、
手動入力による振動検知信号に基づいて、前記展示台を下方に移動可能な位置に移動させるための展示台作動装置と、を備えることを特徴とする物品展示装置である。本発明はこのように構成することによって、気象庁が、地震のＰ波（横波）を検知したとき、Ｓ波（縦波）の各地への到達時間を告知するシステム等を利用し、前記Ｓ波（縦波）の到達前に、手動によって展示台を降下させて物品を衝撃・損傷から保護するように作動させることができる。
【００１８】
次に、本発明に係る物品展示装置の作用について説明する。物品展示装置の展示台を上方向に移動させ、支持部材の内部の上方において展示台を支持する。物品を本体および展示台の上に配置する。地震が発生して物品展示装置に加えられた振動を振動検知装置が検知すると、展示台作動装置は、振動検知装置が出力する振動検知信号に基づいて、展示台を下方に移動可能な位置に移動させる。振動検知装置からの検知信号を受入れると、展示台作動装置が作動する。展示台作動装置が作動すると、展示台は下方に降下することができる。展示台の回転移動範囲は、移動範囲限定機構によって制限される。展示台が支持部材の内部において降下すると、緩衝部材により物品を確実に保護することができる。
【発明の効果】
【００１９】
本発明の物品展示装置は、装置の構造が簡単であって、安価に製造することができる。また、本発明の物品展示装置は、装置の取扱いが容易であって、装置の見栄えが良く構成することができる。本発明の物品展示装置を用いることにより、陶磁器などの展示品を水平に配置して展示することができ、展示品を地震の揺れから確実に守ることができる。本発明の物品展示装置は、博物館、美術館等の既存の展示台ケース内に直接セットすることができる。さらに、本発明の物品展示装置は、小型であるのでセット作業は容易であり、展示面積が不必要に増大することもない。本発明の物品展示装置は、地震等の振動が発生したときに、展示台を水平に保ったままで、瞬時に展示品が転倒する前に展示台とともに展示品を降下させることができるので、物品全体への衝撃力を緩衝することが可能である。
【発明を実施するための最良の形態】
【００２０】
（１）物品展示装置の構成：
以下に、本発明に係る物品展示装置の実施の形態の構成を図面に基づいて説明する。図１を参照すると、地震などの振動が発生した時に展示されている物品を保護するように構成された物品展示装置１００は、物品展示装置の構成部品を中に収容するための本体１０２と、本体１０２の下部に配置される底板１０４とを備える。本体１０２は中空の箱型に形成される。図１において、本体１０２の平面形状が四角形である実施の形態の構成を示している。本体１０２の平面形状は、四角形であってもよいし、多角形であってもよいし、円形であってもよいし、直線および曲線の少なくともいずれか一方を含む形状であってもよい。
【００２１】
本体１０２の横幅は、例えば、３５０ｍｍから８００ｍｍに形成することができる。本体１０２の奥行きは、例えば、２５０ｍｍから５００ｍｍに形成することができる。本体１０２の高さは、例えば、１６０ｍｍから４００ｍｍに形成することができる。好ましい実施形態において、本体１０２の横幅は４５０ｍｍであり、本体１０２の奥行きは３７５ｍｍであり、本体１０２の高さは２２０ｍｍであるように形成することができる。本体１０２は底板１０４にアングルを用いて取り付けることができるし、或いは、本体１０２は、アングルを用いることなしに、底板１０４に嵌め込むこともできる。
【００２２】
図１および図２を参照すると、物品展示装置１００は、陶磁器などの物品１０８を上面に配置することができる展示台１１０と、展示台１１０を上下方向に移動可能なように内部に配置して支持するための支持部材１２０と、支持部材１２０の内部の下部のところで底板１０４に配置され、展示台１１０の下面を受けるための底部緩衝部材１３０と、物品展示装置１００に加えられる振動を検知するための振動検知装置１４０と、振動検知装置１４０が出力する振動検知信号に基づいて、展示台１１０を下方に移動可能な位置に移動させるための展示台作動装置１５０とを備える。展示台１１０は水平になるようにして、支持部材１２０に対して支持される。
【００２３】
支持部材１２０は、複数の固定金具（すなわち、床面取付金具）１２５を用いて底板１０４に対して固定されるのがよい。底部緩衝部材１３０は、衝撃を受けると変形する圧縮変形可能な材料で形成される。必要に応じて、物品１０８と展示台１１０との間に展示用布１７０を配置するのがよい。展示用布１７０は、公知の天然繊維、合成繊維、不織布などの材料で形成することができる。
【００２４】
図１および図４を参照すると、展示台１１０は、円形の外周形状を有し、中心軸線１１０Ａを定めている。展示台１１０は、上方に位置する上方緩衝部材１１１と、中間に位置する台中間部材１１２と、下方に位置する下方緩衝部材１１３とを含む。展示台１１０において、上方緩衝部材１１１は物品を保護するための第１の展示台緩衝部材を構成する。展示台１１０において、下方緩衝部材１１３は物品を保護するための第２の展示台緩衝部材を構成する。展示台１１０において、展示台緩衝部材が、展示台１１０の上面および下面の少なくとも一方に配置されるのが好ましい。
【００２５】
上方緩衝部材１１１は、衝撃を受けると変形する圧縮変形可能な材料で形成される。下方緩衝部材１１３は、衝撃を受けると変形する圧縮変形可能な材料で形成される。上方緩衝部材１１１は、発泡スチロールの円盤状部材を２枚重ねて接着することにより形成することができる。台中間部材１１２は、合板により形成することができる。合板の板厚は、例えば、１０ｍｍから６０ｍｍ程度のものを使用することができる。
【００２６】
下方緩衝部材１１３は、ポリエステルで形成することができる。或いは、下方緩衝部材１１３は、発泡スチロールの円盤状部材で形成することができる。上方緩衝部材１１１の厚さは、例えば、１０ｍｍから３０ｍｍ程度になるように形成することができる。また、下方緩衝部材１１３の厚さは、例えば、１０ｍｍから３０ｍｍ程度になるように形成することができる。
【００２７】
展示台１１０は、上方緩衝部材１１１と台中間部材１１２を接着し、台中間部材１１２と下方緩衝部材１１３を接着して形成することができる。この構成により、地震が発生して物品１０８が降下したときに、物品を下面から効果的に保護することができる。さらに、展示用布１７０を使用したときは、地震が発生して物品１０８が降下したときに、展示用布１７０により物品を側面および下面から効果的に包み込んで保護することができる。これにより、物品、特に茶道用の椀、動物形置物などの漆製品等の側面の模様や凹凸を損傷から保護することがでる。
【００２８】
上方緩衝部材１１１の中心に操作用穴１１１ｈを形成し、動作後の展示台１１０を上方に持ち上げるときに掴むための持ち上げリング１１３ｆを台中間部材１１２の上面の中央部に配置するのがよい。操作用穴１１１ｈの直径は、例えば、３０ｍｍから６０ｍｍに形成することができる。好ましい実施形態において、操作用穴１１１ｈの直径は３５ｍｍである。或いは、動作後の展示台１１０を上方に持ち上げるときに掴むための紐などを台中間部材１１２の上面の中央部に配置することもできる。必要に応じて、円盤状の物品台座１１５を上方緩衝部材１１１の上に配置することができる。物品台座１１５は、衝撃を受けると変形する圧縮変形可能な材料で形成される。物品台座１１５は、例えば、発泡スチロール、ポリエステル、合成ゴムなどで形成することができる。
【００２９】
下方緩衝部材１１３は、外周部に位置するリング状部分１１３ａと、中心部に位置する円盤状部分１１３ｂとを含む。展示台１１０が降下したときに、展示台１１０の下方の空気を放射方向に流通させるための空気通路１１３ｃがリング状部分１１３ａに放射方向に形成される。図４において、空気通路１１３ｃを４個形成した実施形態を図示しているが、空気通路の数は１個であってもよいし、２個であってもよいし、３個以上であってもよい。
【００３０】
図１を参照すると、複数の底部緩衝部材１３０が底板１０４の上面に配置される。底部緩衝部材１３０は、衝撃を受けると変形する圧縮変形可能な材料で形成される。底部緩衝部材１３０は、合成ゴムで円柱状に形成される。底部緩衝部材１３０の厚さは、例えば、１０ｍｍから５０ｍｍ程度になるように形成することができる。底部緩衝部材１３０の直径は、例えば、１０ｍｍから８０ｍｍ程度になるように形成することができる。底部緩衝部材１３０は、展示台１１０が降下したときに生じる衝撃を吸収し、また、衝撃音が減少させるために設けられる。
【００３１】
底部緩衝部材１３０を４個形成した実施形態（図１には３個のみ見える）を図示しているが、底部緩衝部材１３０の個数は３個であってもよいし、４個以上であってもよい。底部緩衝部材１３０の個数は空気通路１１３ｃの個数に対応するように設定するのが好ましい。底部緩衝部材１３０を設ける位置は、リング状部分１１３ａにおいて空気通路１１３ｃがない部分に対応するように配置するのが好ましい。この構成により、地震が発生して展示台１１０と物品１０８が降下したときに、物品を下面から効果的に保護することができる。
【００３２】
図１を参照すると、支持部材１２０は、例えば、内径が２００ｍｍであり、高さが２２０ｍｍである塩化ビニール製のパイプを用いて形成することができる。パイプの肉厚は、例えば、３ｍｍから１０ｍｍ程度のものを使用することができる。物品の側面を保護するために、支持部材１２０はその内部の側面に物品側面保護部材１２３が貼付される。物品側面保護部材１２３は、縦方向に延びる複数の帯状の保護部材として構成される。物品側面保護部材１２３は、衝撃を受けると変形する圧縮変形可能な材料で形成される。物品側面保護部材１２３は、例えば、厚さが１ｍｍから５ｍｍである長尺状のスポンジなどを用いて形成することができる。支持部材１２０に物品側面保護部材１２３を接着した後の半径は、展示台１１０の半径に対して、例えば、１ｍｍから５ｍｍ程度のすきまが確保できるように設定するのが好ましい。
【００３３】
物品側面保護部材１２３は、例えば、横幅が１０ｍｍから３０ｍｍである長尺状のスポンジなどを用いて形成することができる。物品側面保護部材１２３は、例えば、４個から３０個用いることができる。複数の物品側面保護部材１２３は、支持部材１２０の内面において、縦方向に間隔を隔てて平行に配置することができる。このような寸法に形成された実施形態においては、地震が発生した時に、展示台１１０と物品１０８は１５０ｍｍだけ降下することができる。この構成により、地震が発生して物品１０８が降下したときに、物品が転倒したり破損するのを効果的に回避して、物品へ加えられる衝撃力を緩衝し、物品を側面から効果的に保護することができる。
【００３４】
物品側面保護部材１２３は、支持部材１２０の内面に接着するのがよい。支持部材１２０の上部の縁部に沿って円形に、スポンジ紐状体、ゴムホース等の衝撃吸収材１２７を固定することができる。接着後の物品側面保護部材１２３の内径は、展示すべき物品１０８の外形形状（すなわち、外径）に合わせて設定するのがよい。展示すべき物品１０８が降下可能な寸法は、展示すべき物品１０８の外形形状（すなわち、高さ）に合わせて設定するのがよい。
【００３５】
図２および図３を参照すると、展示台作動装置１５０は、支持部材１２０の内部において、展示台１１０の中心軸線１１０Ａを回転中心として、展示台１１０を回転移動させることができるように構成されたアクチュエータ１５２と、アクチュエータ１５２の動作を制御する制御回路を含む回路ブロック１６０を有する。作動クランプ１５４が、中心軸線１１０Ａを回転中心として展示台１１０を回転移動させるために支持部材１２０の外周部に設けられる。
【００３６】
図１から図３を参照すると、複数のロックボルト１１８が展示台１１０に設けられる。ロックボルト１１８は、展示台１１０の台中間部材１１２から半径方向外方に水平方向に延びている。ブッシング１１９をロックボルト１１８に取り付けるのが好ましい。図２において、ロックボルト１１８を３個形成した実施形態を図示しているが、ロックボルト１１８の数は３個であってもよいし、４個以上であってもよい。支持部材１２０は、ロックボルト１１８を受け入れて展示台１１０を支持するためのロックボルト受け部１２１と、ロックボルト１１８を受け入れて展示台１１０の下方への移動を案内するためのロックボルト案内部１２２とを有する。ロックボルト受け部１２１は、支持部材１２０において、水平方向に延びる台部として形成されている。ロックボルト案内部１２２は、支持部材１２０において、垂直方向に延びる窓部として形成されている。
【００３７】
図２および図３を参照すると、アクチュエータ１５２は、駆動用電磁石を収納したアクチュエータ本体１５２ｂと、アクチュエータ駆動軸１５２ｃとを含む。アクチュエータ１５２は、モータ及び歯車で構成することもできる。作動クランプ１５４は、長さを調整するために設けられた複数の位置決めスリット１５４ａを含む金属製のクランプバンド１５４ｂで構成される。作動クランプ１５４の長さを調整して位置決めするためのクランプロック１５４ｃ及びクランプ調整ボルト１５４ｄがクランプバンド１５４ｂに固定される。クランプバンド１５４ｂは、支持部材１２０の外周部に対して、水平面内において回転可能なように配置される。
【００３８】
複数の降下防止ボルト１２０ｆが、支持部材１２０の外周部に設けられる。一部の降下防止ボルト１２０ｆは、クランプバンド１５４ｂの上縁部を保持するように設けられ、他の降下防止ボルト１２０ｆは、クランプバンド１５４ｂの下縁部を保持するように設けられる。クランプバンド１５４ｂは、降下防止ボルト１２０ｆによって、支持部材１２０の外周部に対して回転可能なように保持される。ロックボルト１１８に接触して展示台１１０を回転移動させるための解除板１５６がクランプバンド１５４ｂに固定される。解除板１５６に設けられた接触縁部１５６ｃは、ロックボルト１１８の外周に接触するように配置される。
【００３９】
クランプバンド１５４ｂの端部は、連結部材１５８によってアクチュエータ駆動軸１５２ｃに連結される。連結部材１５８は、アクチュエータ駆動軸１５２ｃに固定された引張棒と、クランプバンド１５４ｂの端部と引張棒を連結する引張ワイヤとで構成することができる。さらに、展示台１１０の回転移動範囲を制限するための移動範囲限定機構が設けられる。移動範囲限定機構は、クランプバンド１５４ｂに固定された作動範囲板１５９ａと、支持部材１２０の外周部に作動範囲ピン１５９ｂとで構成することができる。作動範囲板１５９ａは、反発用のゴム部材（図示せず）を介してクランプバンド１５４ｂに固定するのが好ましい。水平方向スリット１５９ｆが作動範囲板１５９ａに形成される。作動範囲ピン１５９ｂは水平方向スリット１５９ｆの中に配置され、水平方向スリット１５９ｆの長さ方向の両端部１５９ｇ、１５９ｈの位置によって、展示台１１０の回転移動範囲を制限することができるように構成される。
【００４０】
物品展示装置１００は、さらに、展示台作動装置１５０の動作を制御する制御回路を含む回路ブロック１６０と、充電可能なバッテリ１６２と、バッテリ１６２を充電するための充電器１６４とを備える。充電器１６４は交流電源などの外部電源１６８に接続される。回路ブロック１６０には、リセットスイッチ、ヒューズ、他の複数の同一展示台への接続端子などを接続することができる。展示台作動装置１５０の動作のための電源は、本体１０２の内部に配置しないで、別個に構成することもできる。例えば、物品展示装置１００にケーブルを介して接続される外部電源や電池などを用いることもできる。
【００４１】
制御回路は、ＩＣおよび各種の電気素子などを用いて構成することができる。制御回路は、物品展示装置１００の本体１０２の内部に配置しないで、別個に構成することもできる。例えば、制御回路を汎用コンピュータやパーソナルコンピュータで構成して、この汎用コンピュータやパーソナルコンピュータをケーブルを介して物品展示装置１００に接続、或いは、無線装置を用いて物品展示装置１００に連動させることも可能である。
【００４２】
振動検知装置１４０は、公知の振動センサを含むように構成することができる。好ましい実施形態では、振動検知装置１４０は、縦震動を検出するための縦震用センサ１４２と、横震動を検出するための横震用センサ１４４とを含むように構成される。使用可能な振動センサは、振り子の傾きでリードスイッチがＯＮとする方式であってもよいし、レーザ光を利用し、地震発生時の液面変化による反射角度の変化や光遮断を検出する方式であってもよいし、液面変化で永久磁石が上下動してスイッチが作動するリミットスイッチ方式であってもよいし、或いは、他の公知の方式の振動センサであってもよい。
【００４３】
制御回路は、振動検知装置１４０からの検知信号を受入れる検知信号受入部と、検知信号受入部の作動に基づいて展示台作動装置１５０の動作を制御する駆動制御部とを含む。制御回路は、外部電源１６８によって動作するように構成することもできるし、或いは、バッテリ１６２によって動作するように構成することもできる。停電時の動作を確保するためには、制御回路は、常にバッテリ１６２によって動作するように構成し、充電器１６４によりバッテリ１６２を充電するように構成するのが好ましい。或いは、制御回路は、通常時は外部電源１６８によって動作するように構成し、停電時にバッテリ１６２に切換え可能な電源制御部を含むように構成することもできる。
【００４４】
（２）物品展示装置の作用：
次に、本発明に係る物品展示装置の作用を説明する。図１、図２および図５を参照すると、物品展示装置１００の電源（充電器１６４、バッテリ１６２）を動作可能に設定し、スイッチ（図示せず）を操作して、展示台作動装置１５０を初期位置に設定する。持ち上げリング１１３ｆを立てて、指で持ち上げリング１１３ｆを掴んで展示台１１０を上方向に移動させ、ロックボルト１１８を支持部材１２０のロックボルト受け部１２１に受け入れて、支持部材１２０の内部の上方において展示台１１０を支持する。展示台１１０は水平になるようにして、支持部材１２０に対して支持される。物品１０８と展示台１１０との間に入るようにして、展示用布１７０を本体１０２および展示台１１０の上に配置する。次に、陶磁器などの物品１０８を展示台１１０の上面に配置する。
【００４５】
地震が発生して物品展示装置１００に加えられた振動を振動検知装置１４０が検知すると、展示台作動装置１５０は、振動検知装置１４０が出力する振動検知信号に基づいて、展示台１１０を下方に移動可能な位置に移動させる。すなわち、展示台作動装置１５０の制御回路の駆動制御部において、検知信号受入部が振動検知装置１４０からの検知信号を受入れると、検知信号受入部の作動に基づいてアクチュエータ１５２を作動させる。駆動用電磁石が作動すると、アクチュエータ駆動軸１５２ｃは移動して、作動クランプ１５４を支持部材１２０の外周部に対して水平面内において回転させる。作動クランプ１５４が回転すると、解除板１５６に設けられた接触縁部１５６ｃは、ロックボルト１１８の外周に接触して展示台１１０を回転移動させる。展示台１１０が回転移動すると、ロックボルト１１８は、ロックボルト１１８を受け入れて展示台１１０の下方への移動を案内するためのロックボルト案内部１２２の中に入る。ロックボルト１１８がロックボルト案内部１２２の中に入ると、物品１０８と展示台１１０とは下方に降下することができる。展示台１１０の回転移動範囲は、作動範囲板１５９ａと、作動範囲ピン１５９ｂとによって制限される。
【００４６】
図６および図７を参照すると、物品１０８と展示台１１０とが、水平状態を維持して、支持部材１２０の内部に降下すると、展示台１１０の下方緩衝部材１１３は底部緩衝部材１３０に衝突する。展示用布１７０は、物品１０８の下面および側面を包み込むようにして支持部材１２０の内部に入り込む。上方緩衝部材１１１、下方緩衝部材１１３、底部緩衝部材１３０は、衝撃を受けると変形する圧縮変形可能な材料で形成されているので、物品１０８を確実に下方向から保護することができる。また、物品台座１１５は、衝撃を受けると変形する圧縮変形可能な材料で形成されるので、物品１０８を確実に下方向から保護することができる。さらに、支持部材１２０の物品側面保護部材１２３は、衝撃を受けると変形する圧縮変形可能な材料で形成されているので、物品１０８が降下したときに、物品を側面から効果的に保護することができる。
【００４７】
地震が終わって安全が確認されたならば、物品１０８および展示用布１７０を物品展示装置１００から取り出す。次に、スイッチ（図示せず）を操作して、展示台作動装置１５０を初期位置に設定する。次に、物品台座１１５を取り外し、持ち上げリング１１３ｆを立てて、指で持ち上げリング１１３ｆを掴んで展示台１１０を上方向に移動させ、ロックボルト１１８を支持部材１２０のロックボルト受け部１２１に受け入れて、支持部材１２０の内部の上方において展示台１１０を支持する。物品１０８と展示台１１０との間に入るようにして、展示用布１７０を本体１０２および展示台１１０の上に配置する。次に、陶磁器などの物品１０８を展示台１１０の上面に再び配置することができる。
【００４８】
本発明の他の実施形態として、最近、気象庁が、地震のＰ波（横波）を検知したとき、Ｓ波（縦波）の各地への到達時間を告知するシステムが構築された。このシステムを有効に利用するため、本発明の物品展示装置を手動操作へ変換可能に構成することによって、前記Ｓ波（縦波）の到達前に、手動によって展示台を降下させて物品を衝撃・損傷から保護するように作動させる。
【産業上の利用可能性】
【００４９】
本発明の物品展示装置を用いることにより、装飾品等の物品を展示する場合に、地震等の振動により、物品が転倒したり、物品が展示装置から降下して、物品が転倒したり破損することから物品を確実に保護することができる。また、本発明の物品展示装置は小型であって、博物館、美術館等の既存の展示台ケース内に直接セットすることができる。
【図面の簡単な説明】
【００５０】
【図１】本発明の物品展示装置の実施形態において、展示台および支持部材を示す部分断面図である。
【図２】本発明の物品展示装置の実施形態において、本体を外した状態における物品展示装置の主要部品の概略配置を示す平面図である。
【図３】本発明の物品展示装置の実施形態において、作動装置を示す側面図であり、図３（ａ）はアクチュエータおよび作動クランプの部分を示す側面図であり、図３（ｂ）は作動範囲板作動クランプの部分を示す側面図である。
【図４】本発明の物品展示装置の実施形態において、展示台を示す図であり、図４（ａ）は展示台の上面図であり、図４（ｂ）は展示台の断面図であり、図４（ｃ）は展示台の底面図である。
【図５】本発明の物品展示装置の実施形態において、展示台に物品を配置している状態を示す斜視図である。
【図６】本発明の物品展示装置の実施形態において、展示台が下方に移動した状態を示す斜視図である。
【図７】本発明の物品展示装置の実施形態において、展示台が下方に移動した状態を示す部分断面図である。
【符号の説明】
【００５１】
１００  物品展示装置
１０２  本体
１０４  底板
１０８  物品
１１０  展示台
１２０  支持部材
１３０  底部緩衝部材
１４０  振動検知装置
１５０  展示台作動装置
【図１】
0004507264.tif 000002
【図２】
0004507264.tif 000003
【図３】
0004507264.tif 000004
【図４】
0004507264.tif 000005
【図５】
0004507264.tif 000006
【図６】
0004507264.tif 000007
【図７】
0004507264.tif 000008